(57)【要約】【課題】過去にペットボトルに毒物を入れ犯罪に使用されたことからキャップの開封確認が出来る、ペットボトル容器になったが、年寄りや病人とか小さな子供による力では容易に開封できない課題が有る。また、器具を使わづに、簡単にペットボトルのキャップを開けることを可能にするペットボトルでキャップ開けるペットボトルを提供する。【解決手段】ペットボトルの製造過程又は製造後において、ペットボトルの底にキャップとリング及びフランジ７が入る形を備えることで、子供や老人であっても、簡単にキャップを取り除くことができる。また、ペットボトル容器は、上部がせばまった円筒状の容器２に、材質が異なる蓋１があり、蓋は、容器底の外輪３とキャップ内輪４の凹凸面を持つ。外輪３は内側面に蓋形状の凹凸又は、３点を利用する力学モーメントの３乗で２１角まで可能とした形状と、蓋が入る凹凸空間が接着して、飲み口のキャップを緩める機能と、複数のペットボトルの連結と密閉保管機能を持つペットボトル。【選択図】図１
2016084173.tif 000002
【特許請求の範囲】
【請求項１】
飲料水、流動水、液体、粒粉を入れたペットボトル容器本体内底８に、キャップ１とフランジ部のフランジ部７が入る空間の上部と側面横側に凹凸の突起物とフランジ部を設けた本体容器底部８に、キャップ１を装着した該容器のキャップ面と本体容器底部に設けた凹凸面が接着し、該キャップを要した容器のキャップ開閉ができる、ペットボトル容器。
【請求項２】
飲料水、流動水、液体、粒粉を入れたペットボトル容器本体内底８の外側面９に、飲み口のキャップ１とフランジ７を納める空間を設けた容器底面８に、キャップを緩める凹凸物とリング及びフランジ溝と、キャップ１を装着した該容器のキャップ面とフランジ凹凸面とフランジと溝が接着し、容器の複数連結ができる、ペットボトル容器。
【請求項３】
上記、［請求項１］又は［請求項２］のいずれか１項に記載の貯蔵容器を、縦向き、又は横向き径方向に延して、連結接続した複数の容器であって、隣接する容器の、上記容器底面８に、キャップを緩める凹凸物とリング及びフランジ溝と、キャップ１を装着した該容器のキャップ面とフランジ凹凸面とフランジと溝が接着し、充填ペットボトル容器同士又は空ペットボトル容器同士で連結接続する、ペットボトル容器。
【発明の詳細な説明】
【容器発明の詳細な説明】
【技術分野】
【０００１】本発明は、ペットボトルのキャップの開閉に関し、ペットボトルの底面部に設けたものである。特に、ペットボトルのキャップを簡単に開けることができる。また、嵩張る空になったペットボトルの処理及び保管に関する。
【背景技術】
【０００２】ペットボトルは、人が生活する上で欠かすことができない商品となっている。また、ペットボトルは、携帯に便利で、割れにくい材質で、液体が外に漏れにくい等の長所をもつため、災害時とか運動や野外活動の際に携帯されることが多く、いつでも必要な水分を取ることができるが、ペットボトルのキャップは回転させて開ける必要があり、使用者が病人や老人子供の場合、キャップを回転させる力に限りがあるため、使用者がキャップを開けられないとか、また、病室とか保管場所では嵩張る空になったペットボトルの処理及び保管方法とかの決解が求められている。
【発明が解決しようとする課題】
【０００３】従来の開閉方法では、開閉器具を用いていた為、不便を要していた。また、空になったペットボトルの散乱を防ぎ後片付け処理と及び場所を取らない保管機能と縦積及び横方向に連結機能。
【０００４】上述の目的を達するためには、ペットボトル本体内底に、キャップとリングとフランジ７が入る凹凸空間とペットボトルとキャップが接着して開ける機能と、本体とキャップの接合を利用し、ペットボトル同士の連結を配置することでペットボトルの管理と保管が簡素化する。また、飲料水を含む流動水、又は、食用油、醤油、果樹液、ソースを含む液体、又は、米、小麦、粒粉、砂糖、塩等を含む粒粉のいずれか１つを填めた、ペットボトル容器本体内底８の外側面９に、飲み口のキャップ１とフランジ７を納める空間を設けた容器底面８に、キャップを緩める凹凸物とリング及びフランジ溝と、キャップ１を装着した該容器のキャップ面とフランジ凹凸面とフランジと溝が接着し、容器の複数連結ができる。
【課題を解決するための手段】
【０００５】上記目的を達成するため、請求項１の発明は、ペットボトル本体内底８に、キャップ１とリングとフランジ７が入る凹凸空間にする第１工程。
【０００６】［請求項２］本体容器底部８の凹凸容器とキャップ１とリングとフランジ７面が接合接着して、大きな力を必要とせずに、本体容器同士を左右にねじることで、キャップ１を開ける機能となる。第２工程。
【０００７】［請求項３］本体とキャップの接合接着を利用し、ペットボトル同士の連結を図る。本体容器底部８の凹凸面とキャップ１とリングとフランジ７の凹凸面を利用し、キャップ１の開封と複数のペットボトルを連結を図ることで、保管場所の整理整頓、持ち運びが簡素化できる。また、飲料水、食用油、醤油、酒類、酢、出し汁、ソース、マヨネーズ、チャップ、又は米、小麦、大豆粉粉、胡麻、珈琲、抹茶、昆布、香辛料等の粉粒を詰めた非常食密閉保存保管容器になる第３工程。
【０００８】参考文献
・特許公開２０１０−２６９８４４
・特開２００２−２７４５５２号
・実用新案出願２０１０−１４４０
【実施例】
【０００９】射出成形はポリエチレン又はプラスチックなどの加工法である。熱可塑性樹脂の場合が典型的で、軟化する温度と加熱したプラスチックを、射出圧（１０−３０００ｋｇｆ／ｃ）を加えてに金型に押込み、型に充填して成形する。従来の製造工程で、ペットボトルの底部に対し、本体部を螺合する際、ペットボトルの底部内壁に接触させても、外筒部本体がペットボトル口部内壁と接触することで、傷ついてしまったり、変形してしまったりすることを防止できる。【００１０】請求項１の飲料水、流動水、液体、粒粉を入れた容器構造においては、瓶状容器の首部に装着されるキャップ付き容器は、本体容器底にキャップとフランジが収納される容器本体底に、該容器本体のキャップ外部を閉じる凹凸リングと蓋部とフランジを備え、前記容器本体の底部の空間における凹凸状のリングとフランジ溝は、縦状の凹凸物は、内周縁部がキャップ付き容器瓶状容器の首部におけるフランジと前記容器本体の底部の空間に蓋体との間の凹状部に凹凸リングとフランジ溝と、縦状の凹凸面の接合が形成されているものである。【００１１】請求項２の容器構造においては、容器の底部は、下方へ延在する辺と、辺の下端に繋がる底部を形成する凹凸部と凹凸物又は凹凸リング状のフランジ溝を備え、前記中央部及び辺の下方に形成された空間部に、キャップ付き容器瓶状容器が連結し繋がるように構成したものである。【００１２】請求項３の連結容器構造においては、連結容器がキャップ付き容器に所定状態に装着された際には、前記連結容器の最も高い位置と前記キャップ付き容器の頂部は、略同一の高さと径状になるよう構成されている。【００１３】請求項４の連結容器構造においては、連結容器の側板と平行な水平方向における最大寸法は、キャップ付き容器における容器本体の外径と略等しいか、該容器本体の外径よりも小さく形成されている。【００１４】請求項４の連結容器構造においては、首部挿通孔を楕円形状とし、且つ、長径をキャップ付き容器の蓋体が通過することのできる最短寸法とし、短径を蓋体の最大外径よりも０．０５〜０．０１ｍｍ以内の範囲で前記蓋体よりも小さく形成されている。【００１５】従来のペットボトル容器は、上部がせばまった４角容器及び円筒状の容器に、使用されている材質が異なるキャップ蓋をしている。又、蓋１の形状は、ほぼ同じであり、蓋１外面と外輪リング凹凸１０とキャップ１の凹凸を持つ外輪リング１０の凹凸面は、容器底凹凸外輪リング１０の内側に６点を起点とする同じ大きさの６〜２１角面状の凹凸形状とすることで、容器底の外側のキャップ外輪１の凹凸形状で、２つの本体を接合して左右にねじり蓋を緩めたり、連結する役目をする。【００１６】更に空になったペットボトル容器２をキャップ１して、容器底の外輪１０とキャップ外輪１を接合し合体連結した複数のペットボトル容器を、縦方向及び横方向に伸ばし容器の散乱を防ぎ、持ち運びと保管場所確保を容易にする。また、外筒部の外筒部本体を、曲げ弾性率（ＪＩＳ  Ｋ  ６９２１−２）が１２００ＭＰａ以下であり、表面硬度（ＪＩＳ  Ｋ  ７２０２（Ｒスケール））が８５以上である材料により構成している。熱硬化性樹脂の場合、始めに５０℃前後に加温し、流動性を持たせ���後、高温の金型（約１５０℃前後）へ充填して硬化（固化）させる。
【発明の効果】
【００１７】飲料水、流動水、液体、粒粉を入れたペットボトル容器のキャップ蓋を緩めるのに力を要せず、また器具を使用することなく、更に嵩張る空になった容器を連結することで、容器の拡散と持ち運び及び保管管理の手間と時間を簡素化できて、非常時の飲料水、食用油、ラー油、醤油、酒類、酢、出し汁、ソース、マヨネーズ、ケチャップ、又は米、小麦、大豆粉粉のいずれか１つを填めた容器類の保管及び米、小麦、大豆、胡麻、珈琲、抹茶、昆布、香辛料、砂糖、各種調味料等の粉粒を入れた食材の密閉保存保管容器になり、使用分野の多いペットボトル容器になる。
【符号の説明】
【００１８】１．キャップ  ２．本体  ３．弾性部材  ４．凹凸連結空間  ５．連結前  ６．連結後  ７．リングとフランジ部  ８．凹凸接合部分  ９．本体底  １０．凹凸リング  １１．本体弾性部  １２．本体凹底  １３．フランジ溝  １４．上部接着部  １５．側面接着部
【図面の簡単な説明】
【００１９】
【図１】  傾斜図
【図２】  本体凹底断面図
【図３】  連結空間断面図
【図１】
2016084173.tif 000003
【図２】
2016084173.tif 000004
【図３】
2016084173.tif 000005
【手続補正書】
【提出日】平成27年8月15日(2015.8.15)
【手続補正１】
【補正対象書類名】特許請求の範囲
【補正対象項目名】全文
【補正方法】変更
【補正の内容】
【特許請求の範囲】
【請求項１】
飲料水等を入れたペットボトル容器本体内底８の外側面に、飲み口のキャップ１とフランジ部のフランジ部７が入る空間内面及び天井に、凹凸状の縦状溝及び横状溝の複数の起点と、力点を角面状とする連結接合と脱着可能構造を設けた、    ペットボトル容器。
【請求項２】
飲料水等を入れたペットボトル容器本体内底８の外側面に、飲み口のキャップ１とフランジ部のフランジ部７が入る空間内面及び天井に、複数の凹凸縦状溝又は凹凸横状溝の起点又は、力点を角面状とする、水滴排水と脱着可能構造を設けた、    ペットボトル容器。
【請求項３】
上記、［請求項１］又は［請求項２］のいずれか１項に記載の脱着可能構造を設けた容器を通して、容器の縦積方向、又は容器を水平に寝かした横積方向及び径方向に延して、連結接続した複数の容器であって、隣接する容器の上記、充填ペットボトル容器同士又は空ペットボトル容器同士で、連結接続し積重ね保管する、    ペットボトル容器。
【手続補正２】
【補正対象書類名】明細書
【補正対象項目名】０００５
【補正方法】変更
【補正の内容】
【０００５】ペットボトルの製造過程又は製造後において、ペットボトルの底にキャップとリング及びフランジ７が入る空間を備えることで、子供や老人病人であっても、水滴が付いたキャップを簡単に取り除くことができる。また、ペットボトル容器は、上部がせばまった円筒状の容器内側面に、蓋形状の凹凸又は、３点を利用する力学モーメントの３乗で２１角まで可能とした形状と、蓋が入る凹凸空間が接合して、飲み口のキャップを緩める機能と、水滴排水機能で、キャップの噛み付き及び密着を防ぎ、複数の凹凸縦状溝又は凹凸横状溝の起点又は、力点及び作用点による、連結接合及び水滴排水脱着可能機能を持つペットボトル容器を通して、充填ペットボトル容器同士又は空ペットボトル容器同士で縦積み又は、容器を水平方向に寝かした横積み連結接続で積重ね保管する。上記目的を達成するため、請求項１の発明は、ペットボトル本体内底８に、キャップ１とリングとフランジ７が入る凹凸空間にする第１工程。